(57)【要約】【課題】建物エリア内に配置される複数の機器制御盤の中から目的とする機器制御盤を迅速に見つけ出すことを可能にするための機器制御盤配置検索システムを提供する。【解決手段】建屋エリア内７に配置される機器制御盤２において，外部から視認できる位置に付される符号指標４と、建物エリア内７を碁盤目状に区画可能なＸコード１１及びＹコード１２を示す座標１７を備え，建物エリア内７の個々の機器制御盤２の配置を，符号指標４をキーとして示した平面配置図６と、機器制御盤２の名称と，平面配置図６の識別符号１６と，平面配置図６における機器制御盤２の座標１７のＸコード１１・Ｙコード１２位置と，を機器制御盤２に付される符号指標４をキーとして記載した一覧表１５と、を有することを特徴とする機器制御盤配置検索システム１ａによる。【選択図】図１
2011091982.tif 000002
【特許請求の範囲】
【請求項１】
建屋エリア内に配置される機器制御盤において，外部から視認できる位置に付される符号指標と、
前記建物エリア内を碁盤目状に区画可能なＸコード及びＹコードを示す座標を備え，前記建物エリア内の個々の前記機器制御盤の配置を，前記符号指標をキーとして示した平面配置図と、
前記機器制御盤の名称と，前記平面配置図の識別符号と，前記平面配置図における前記機器制御盤の座標のＸコード・Ｙコード位置と，を前記機器制御盤に付される前記符号指標をキーとして記載した一覧表と、
を有することを特徴とする機器制御盤配置検索システム。
【請求項２】
前記機器制御盤配置検索システムは、前記機器制御盤に係るシーケンスにおいて、前記符号指標をキーとして記載されるシーケンス図を備えることを特徴とする請求項１記載の機器制御盤配置検索システム。
【請求項３】
前記平面配置図は、前記建物エリアの外形についての情報と、前記建物エリア内に配置される設備又は備品のうちの少なくとも一方の配置及び形状についての情報と、が記載されることを特徴とする請求項１又は請求項２記載の機器制御盤配置検索システム。
【請求項４】
前記平面配置図に記載される，前記建物エリア内を碁盤目状に区画可能なＸコード及びＹコードは、それぞれ連続する数字又は文字又は記号からなるコードであることを特徴とする請求項１乃至請求項３のいずれか１項に記載の機器制御盤配置検索システム。
【請求項５】
前記機器制御盤に付される前記符号指標は、接着シールであることを特徴とする請求項１乃至請求項４記載のいずれか１項に記載の機器制御盤配置検索システム。
【請求項６】
建屋エリア内に配置される機器制御盤において，外部から視認できる位置に付される符号指標と、
前記建物エリア内を碁盤目状に区画可能なＸコード及びＹコードを示す座標を備え，前記建物エリア内の個々の前記機器制御盤の配置を，前記符号指標をキーとして示した平面配置図と、
前記機器制御盤の名称と，前記平面配置図の識別符号と，前記平面配置図における前記機器制御盤の座標のＸコード・Ｙコード位置と，を前記機器制御盤に付される前記符号指標をキーとして記載した一覧表と、
前記平面配置図及び前記一覧表を格納する記憶部と、
前記符号指標又はその符号指標が付された前記機器制御盤の名称をキーとして、前記平面配置図及び／又は前記一覧表を検索する検索部と、を有することを特徴とする機器制御盤配置検索システム。 
【発明の詳細な説明】
【技術分野】
【０００１】
本発明は、建物エリア内に配置される複数の機器制御盤の中から目的とする機器制御盤を迅速に見つけ出すことを可能にするための機器制御盤配置検索システムに関する。
【背景技術】
【０００２】
従来、例えば、火力発電所等の施設内には多数の機器制御盤が配置されており、トラブル等が発生した際に、シーケンス図上において目的とする機器制御盤が特定できたとしても、建物エリア内において目的とする機器制御盤の位置を特定して迅速にその場所にたどり着くことが難しく、この結果、トラブルの解決に時間を要したり、トラブルが拡大する可能性があるなどの問題が生じていた。
同様の課題に対処することを目的とした従来技術としては以下に示すような発明が知られている。
【０００３】
特許文献１には「直流地絡表示装置」という名称で、電気所内の直流電源の地絡事故時にそれを表示する直流地絡表示装置に関する発明が開示されている。
特許文献１に開示される発明は、直流電源母線から供給される直流を電源開閉器を介して複数個のフィーダに供給する分電盤と、この分電盤から前記フィーダを介して供給される直流を電源開閉器を介して複数のケーブルに供給する制御盤とを有した電気所内に設置され、前記フィーダに設けられた零相変流器の電流検出値が予め定めた設定値を逸脱するときは警報と判断する直流漏電警報装置と、前記直流漏電警報装置より出力される警報情報及び前記分電盤の地絡フィーダを表示する表示装置とを備えた直流地絡表示装置において、前記表示装置は、前記分電盤の単線結線図と前記制御盤の単線結線図と前記ケーブルの接続一覧表とを画面情報として予め記憶した画面情報保存部と、前記直流漏電警報装置からの警報情報があったときは前記画面情報保存部に予め記憶されている前記分電盤の単線結線図のうち警報となった地絡フィーダを含む単線結線図をその警報情報と共に表示器に表示する画面制御部と、前記分電盤の地絡フィーダの警報処理を行うための操作指令を、前記表示器を介して前記画面制御部に出力し前記画面情報保存部に予め記憶されている前記画面情報のうち必要な画面情報及び前記警報処理の結果を前記表示器に表示させるための画面操作入力部とを備えたことを特徴とするものである。
このような特許文献１に開示される発明によれば、分電盤の単線結線図上で地絡フィーダの表示を行うことが出来るので、運転員に迅速に地絡事故を知らせることが出来る。また、運転員が分電盤下流の地絡事故点の位置を見つける際に必要とする情報を表示器に順次表示することが出来るので、運転員は、迅速かつ安全に地絡位置を発見できる。
また、各々の画面情報のプリントアウトが欲しい場合には、画面操作入力部からの指令で画面情報保存部に記憶されている画面情報を、プリンタによりプリントアウトすることが出来る。したがって、運転員は、プリントアウトされた画面情報を持って該当制御盤に行くことが出来るという効果を有する。
【先行技術文献】
【特許文献】
【０００４】
【特許文献１】特開平８−１８２１８６号公報
【発明の概要】
【発明が解決しようとする課題】
【０００５】
特許文献１に開示される発明の場合、メンテナンスを必要とする制御盤が所定のエリア内に整然と配置されていたり、メンテナンスを必要とする制御盤の種類が限定される場合にはトラブルの原因も特定され易く便利であると考えられるものの、メンテナンスを必要とする制御盤が建物エリア内に任意に配置されていたり、その種類が多種類であったり、また、トラブルの要因が多岐にわたる場合にはトラブル発生箇所の特定が難しく、目的とする制御盤を見つけ出すのが難しいという課題があった。
【０００６】
本発明はかかる従来の事情に対処してなされたものであり、建物エリア内の任意の位置に配置される複数種類の機器制御盤の中から、目的とする機器制御盤の設置場所を迅速に見つけ出すことのできる機器制御盤配置検索システムを提供することにある。
【課題を解決するための手段】
【０００７】
上記目的を達成するため請求項１記載の発明である機器制御盤配置検索システムは、建屋エリア内に配置される機器制御盤において，外部から視認できる位置に付される符号指標と、建物エリア内を碁盤目状に区画可能なＸコード及びＹコードを示す座標を備え，建物エリア内の個々の機器制御盤の配置を，符号指標をキーとして示した平面配置図と、機器制御盤の名称と，平面配置図の識別符号と，平面配置図における機器制御盤の座標のＸコード・Ｙコード位置と，を機器制御盤に付される符号指標をキーとして記載した一覧表と、を有することを特徴とするものである。
上記構成の発明において、符号指標は複数種類ある機器制御盤のそれぞれに対応してこれらを識別できるように表記され、機器建物エリア内に実際に配置される個々の機器制御盤、及び、建物エリア内における個々の機器制御盤の配置を示した平面配置図、及び、互いに関連のある機器制御盤に関する情報をまとめた一覧表にそれぞれキーとして付すことで、平面配置図又は一覧表に記載される機器制御盤と，建物エリア内に実際に配置される機器制御盤の対応関係を明確にするという作用を有する。
また、平面配置図は、建物エリア内に配置される機器制御盤の設置場所についての情報を提供するという作用を有する。また、平面配置図にＸコード・Ｙコードを設けることで、一覧表に、Ｘコード・Ｙコード位置からなる座標により個々の機器制御盤の設置場所を表記可能にするという作用を有する。これにより、一覧表に記載される機器制御盤の平面配置図上における記載位置を特定可能にするという作用を有する。
さらに、一覧表は、建物エリア内に配置される機器制御盤の名称（正式名称）と、その機器制御盤が記載される平面配置図の識別符号と、平面配置図における機器制御盤の座標のＸコード・Ｙコード位置と、その機器制御盤に実際に付されている符号指標に関する情報をまとめて表示するという作用を有する。
なお、平面配置図の識別符号とは、平面配置図間での識別を容易にするための符号であるため、建物エリア内の平面配置図として平面配置図が１枚のみの場合には、必ずしも平面配置図を識別するための識別符号を設ける必要はない。この場合、一覧表には、機器制御盤の名称と、平面配置図における機器制御盤の座標のＸコード・Ｙコード位置と、個々の機器制御盤に付される符号指標を記載するだけでよい。
【０００８】
請求項２記載の発明は、請求項１記載の機器制御盤配置検索システムであって、この機器制御盤配置検索システムは、機器制御盤に係るシーケンスにおいて、符号指標をキーとして記載されるシーケンス図を備えることを特徴とするものである。
上記構成の発明は、請求項１記載の発明と同じ作用に加えて、シーケンスに符号指標をキーとして記載したシーケンス図を備えることで、シーケンス図中に記載される機器制御盤を、平面配置図及び一覧表，並びに，実際の建物エリア内において特定可能にするという作用を有する。
なお、請求項２記載のシーケンス図に、符号指標に加えて、平面配置図上における座標のＸコード・Ｙコード位置を併せて記載してもよい。この場合、シーケンス図に記載される個々の機器制御盤の、平面配置図及び実際の建物エリア内における設置位置の特定を容易にするという作用を有する。
【０００９】
請求項３記載の発明は、請求項１又は請求項２記載の機器制御盤配置検索システムであって、平面配置図は、建物エリアの外形についての情報と、建物エリア内に配置される設備又は備品のうちの少なくとも一方の配置及び形状についての情報と、が記載されることを特徴とするものである。
上記構成の発明は、請求項１又は請求項２記載の発明と同じ作用に加えて、平面配置図に建物エリアの外形についての情報と、建物エリア内に配置される設備又は備品のうちの少なくとも一方の配置及び形状についての情報とを併せて記載することで、一覧表に記載される機器制御盤の，又は，一覧表及びシーケンス図に記載される機器制御盤の、平面配置図上及び建物エリア内における特定を一層容易にするという作用を有する。
【００１０】
請求項４記載の発明は、請求項１乃至請求項３のいずれか１項に記載の機器制御盤配置検索システムであって、平面配置図に記載される，建物エリア内を碁盤目状に区画可能なＸコード及びＹコードは、それぞれ連続する数字又は文字又は記号からなるコードであることを特徴とするものである。
上記構成の発明は、請求項１乃至請求項３のそれぞれに記載の発明と同じ作用に加えて、Ｘコード及びＹコードをそれぞれ連続する数字又は文字又は記号からなるコードとすることで、一覧表に記載されるＸコード・Ｙコード位置からなる座標を見た場合に，あるいは，一覧表又はシーケンス図に記載されるＸコード・Ｙコード位置からなる座標を見た場合に，目的とする機器制御盤の平面配置図上におけるおよその配置を容易に推測させるという作用を有する。
【００１１】
請求項５記載の発明は、請求項１乃至請求項４記載のいずれか１項に記載の機器制御盤配置検索システムであって、機器制御盤に付される符号指標は、接着シールであることを特徴とするものである。
上記構成の発明は、請求項１乃至請求項４のそれぞれに記載の発明と同じ作用に加えて、機器制御盤に付される符号指標を接着シールとすることで、接着対象である機器制御盤への符号指標の取り付け作業を容易にするという作用を有する。
【００１２】
請求項６記載の発明である機器制御盤配置検索システムは、建屋エリア内に配置される機器制御盤において，外部から視認できる位置に付される符号指標と、前記建物エリア内を碁盤目状に区画可能なＸコード及びＹコードを示す座標を備え，前記建物エリア内の個々の前記機器制御盤の配置を，前記符号指標をキーとして示した平面配置図と、前記機器制御盤の名称と，前記平面配置図の識別符号と，前記平面配置図における前記機器制御盤の座標のＸコード・Ｙコード位置と，を前記機器制御盤に付される前記符号指標をキーとして記載した一覧表と、  前記平面配置図及び前記一覧表を格納する記憶部と、前記符号指標又はその符号指標が付された前記機器制御盤の名称をキーとして、前記平面配置図及び／又は前記一覧表を検索する検索部と、を有することを特徴とするものである。
上記構成の発明において、符号指標，平面配置図，及び，一覧表のそれぞれは請求項１記載の発明と同じ作用を有する。
また、本発明の検索部は、符号指標又はその符号指標が付された機器制御盤の名称をキーとして、記憶部内に格納された平面配置図及び／又は一覧表に関するデータを検索して目的とする符号指標が付されたデータを呼び出すという作用を有する。
【発明の効果】
【００１３】
本発明の請求項１記載の発明によれば、建物エリア内に実際に配置される機器制御盤及び、その機器制御盤が記載された平面配置図及び一覧表に、共通の符号指標をキーとして付すことで、目的とする機器制御盤を、一覧表又は平面配置図又は建物エリア内において容易に特定させることができるという効果を有する。
また、平面配置図に碁盤目状に区画可能なＸコード及びＹコードを示す座標を設けることで、そのＸコード・Ｙコード位置を表記することにより、個々の機器制御盤の平面配置図内における設置位置を一覧表に表記可能にすることができる。
つまり、一覧表に記載される個々の機器制御盤の平面配置図上における位置を特定することができるという効果を有する。
また、複数種類の機器制御盤について、その配置を平面配置図に符号指標（特定のマーク）を用いて記載することで、平面配置図を見やすいものにすることができるという効果を有する。
この場合、建物エリア内において機器制御盤に、例えばトラブル等が発生した場合や，メンテナンスが必要な場合に、キーとして符号指標が記載される一覧表や平面配置図を用いることで、目的とする機器制御盤を迅速に見つけ出すことができるという効果を有する。この結果、機器制御盤のトラブルの発見の遅れによる被害の拡大を防止することができるという効果を有する。
また、作業員の配置転換が行われた場合にも、建物エリア内に配置される機器制御盤に関する技術情報の引継ぎを容易にすることができるという効果も有する。これにより、業務の効率化を図ることができるという効果が発揮される。
【００１４】
請求項２記載の発明は、請求項１記載の発明と同じ効果に加えて、機器制御盤に係るシーケンスに、平面配置図及び一覧表に記載される符号指標と共通の符号指標をキーとして記載したシーケンス図を備えることで、例えば、シーケンス図において機器制御盤のトラブル箇所が突き止められた場合に、符号指標がキーとして付される一覧表及び平面配置図を用いて目的とする機器制御盤を速やかに発見することができるという効果を有する。
また、請求項２記載の発明に係るシーケンス図に、符号指標に加えて、平面配置図上におけるＸコード・Ｙコード位置からなる座標を記載しておくことで、シーケンス図及び平面配置図のみを用いて目的とする機器制御盤を速やかに特定することもできる。なお、この場合、請求項２記載の発明における必須の構成要素は、請求項１に記載される符号指標及び平面配置図と、請求項１に記載される符号指標，及び，Ｘコード・Ｙコード位置からなる座標を備えたシーケンス図となる。
【００１５】
請求項３記載の発明は、請求項１又は請求項２記載の発明と同じ効果に加えて、平面配置図に記載されるエリアの外形についての情報，及び，エリア内に配置される設備又は備品のうちの少なくとも一方の配置及び形状についての情報を手がかりにすることで、目的とする機器制御盤の発見を一層速くすることができる。
この結果、例えば、機器制御盤のトラブルに伴う被害の拡大を一層確実に防止することができる。
【００１６】
請求項４記載の発明は、請求項１乃至請求項３のそれぞれに記載の発明と同じ効果に加えて、Ｘコード及びＹコードをそれぞれ連続する数字又は文字又は記号からなるコードとすることで、作業員が一覧表，又は，一覧表及びシーケンス図，又は，シーケンス図を見た際に、建物エリア内又は平面配置図上における、目的とする機器制御盤のおよその位置を容易に推測することができるという効果を有する。
この場合、機器制御盤に、例えばトラブル等が発生した場合や，メンテナンスが必要な場合に、目的とする機器制御盤の特定を及び発見を一層迅速化することができるという効果を有する。
【００１７】
請求項５記載の発明は、請求項１乃至請求項４のそれぞれに記載の発明と同じ効果に加えて、建物エリア内に配置される機器制御盤に直接貼設される符号指標を接着シールにより構成することで、その取り付け作業を迅速化することができるという効果を有する。
【００１８】
請求項６記載の発明によれば、機器制御盤検索システム内の記憶部に格納された、平面配置図及び／又は一覧表についてのデータの中から目的とする機器制御盤についての情報を有するデータを、検索部によって符号指標又はその符号指標が付された機器制御盤の名称をキーにして検索することができるという効果を有する。
この結果、火力発電所等の発電施設に設置される機器制御盤にトラブルが発生したり、メンテナンスが必要になった場合に、作業員は請求項６に係る機器制御盤検索システムを用いて目的とする機器制御盤を速やかに見つけ出すことができるという効果を有する。
この結果、目的とする機器制御盤の発見が遅れることによる被害の拡大を最小限度にすることができるという効果を有する。
また、火力発電所等の発電施設において作業員の配置転換が行われた際に、複数種類の機器制御盤に関する技術情報の引継ぎを容易にすることができるという効果も有する。
【図面の簡単な説明】
【００１９】
【図１】機器制御盤に本発明の実施例１に係る符号指標を付した状態の一例を示す概念図である。
【図２】本発明の実施例１に係る機器制御盤検索システムの平面配置図の一例を示す図である。
【図３】本発明の実施例１に係る機器制御盤検索システムのロケーション一覧表の一例を示す図である。
【図４】本発明の実施例１に係る機器制御盤検索システムのシーケンス図の一例を示す図である。
【図５】本発明の実施例２に係る機器制御盤検索システムの構成図である。
【図６】本発明の実施例２に係る機器制御盤検索システムにおいて実行される検索の工程を示すフローチャートである。
【図７】本発明の実施例２に係る機器制御盤検索システムにおける検索画面の表示例を示す図である。
【図８】本発明の実施例２に係る機器制御盤検索システムにおける検索結果表示画面の表示例を示す図である。
【発明を実施するための形態】
【００２０】
本発明の実施の形態に係る機器制御盤検索システムを実施例１及び実施例２として詳細に説明する。
【実施例１】
【００２１】
本発明の実施例１に係る機器制御盤検索システムは、例えば火力発電所等の発電施設における建物エリア内に複数種類の機器制御盤が任意の場所に設置される場合において、目的とする機器制御盤を速やかに見つけ出すためのものであり、建物エリア内に実際に設置される機器制御盤の外部から視認できる位置に付される符号指標と、この符号指標を用いて建物エリア内における機器制御盤の相対的な位置関係を示した平面配置図と、機器制御盤の名称（正式名称）と，それに対応する符号指標でかつ建物エリア内に配備される機器制御盤に付されるものと同じ符号指標と，平面配置図における機器制御盤の座標が記載された一覧表により構成されるものである。
実施例１に係る機器制御盤検索システムにおける符号指標、及び、平面配置図、及び、一覧表について図１乃至図３を参照しながら詳細に説明する。
【００２２】
まず、図１を参照しながら実施例１に係る機器制御盤検索システムにおける符号指標について説明する。
符号指標は個々の機器制御盤の名称を簡略化した記号により構成され、異なる性能や機能を有する機器制御盤が複数種類ある場合に、その符号指標を見ることでその機器制御盤がどのような性能や機能を有するものであるかを容易に理解できるよう構成されるものである。
図１は機器制御盤に本発明の実施例１に係る機器制御盤検索システムの符号指標を付した状態の一例を示す概念図である。
一般に、機器制御盤２は、図１に示すようなケーシング３内に収容されており、その外見を見ただけではその機器制御盤２がどのような性能や機能を有するかを理解することは極めて難しい。
また、通常、個々の機器制御盤２のケーシング３にはその名称５（正式名称）が記載されているが、建物エリア内に異なる性能や機能を有する機器制御盤２が複数種類ある場合、作業員がこれらの名称５と配置を全て正確に覚えておくことは困難であるし、都度、仕様書等を確認することは業務効率の改善にはつながり難かった。
実施例１に係る機器制御盤検索システム１ａは、このケーシング３上の外部から視認できる位置に機器制御盤２を識別するための符号指標４を付したものである。
なお、この符号指標４はケーシング３上に塗料で直接書き込んでもよいし、符号指標４自体を、例えば、粘着シールやマグネットシール等にしてケーシング３の表面でかつ外部から視認できる位置に貼設してもよい。
また、これらの機器制御盤２の連関を模式的に示したシーケンスは、機器制御盤２が記号等で示されてはいるものの、その性能や機能に関する記載がなされていない場合が多く、このようなシーケンス内に記載される機器制御盤２が実際に建物エリア内に配置される機器制御盤２のうちのどれに該当するのかを正確に判別するためには十分な経験と知識が必要であった。
【００２３】
次に、図２を参照しながら実施例１に係る機器制御盤検索システムの平面配置図について詳細に説明する。
図２は本発明の実施例１に係る機器制御盤検索システムの平面配置図の一例を示す図である。なお、図１に記載されたものと同一部分については同一符号を付し、その構成についての説明は省略する。
図２に示すように、実施例１に係る平面配置図６は、建物エリア７内の任意の位置に配備される複数種類の機器制御盤２の相対的な位置関係を、図１に示す符号指標４を用いて簡潔に示したものである。
また、実施例１に係る平面配置図６には、建物エリア７内を碁盤目状に区画可能なＸコード１１及びＹコード１２を示す座標１０を備えてもよい。このように、実施例１に係る平面配置図６内に、座標１０を備えることで、平面配置図６上に記載される個々の機器制御盤２の位置を、後述の一覧表に、Ｘコード１１・Ｙコード１２位置により表記することができる。
さらに、実施例１に係る平面配置図６に、機器制御盤２の相対的な位置関係に加えて、建物エリア７の外形についての情報，及び，建物エリア７内に配置される出入口８等の設備又は備品９のうちの少なくとも一方の配置及び形状についての情報を併せて記載してもよい。
この場合、実施例１に係る平面配置図６を用いる際に作業員は、建物エリア７の外形についての情報や、出入口８等の設備や、備品９の配置を手がかりにして、目的とする機器制御盤２を見つけ出すことができる。この結果、建物エリア７内に配備される機器制御盤２に、例えば、トラブルが発生した場合や、機器制御盤２にメンテナンスを施す必要がある場合に、作業員は目的とする機器制御盤２を迅速に見つけだすことができるので、トラブル等による被害が拡大するのを防止することができるという効果を有する。
【００２４】
なお、図２では、平面配置図６を区画する破線からなる補助線を記入した場合を例に挙げて説明しているが、Ｘコード１１及びＹコード１２から平面配置図６上に形成される区画を、見る者が容易に認識することができれば、必ずしも補助線を記載する必要はない。より具体的には、平面配置図６に表記されるＸコード１１及びＹコード１２を、一定間隔毎に間仕切った区画で示す場合、見るものは平面配置図６が碁盤目状に区画されていることを容易に理解することができるので、区画を明確にするための補助線を記載していなくとも特に問題はない。
なお、ここで言う「区画」とは、補助線等で実際に表現されたマス目を指し示すのではなく、平面配置図６上に実際に補助線が記載されていなくとも、見るものがＸコード１１やＹコード１２をから補助線の存在を容易に想像することができる場合には、平面配置図６は「区画」を有するとする。
【００２５】
また、実施例１に係る平面配置図６には、符号指標４を用いて機器制御盤２の相対的な位置関係が示されているが、符号指標４を例えば、機器制御盤２の機能や性能等に由来するアルファベット等の略称により示した場合、符号指標４のみではそれがそのような機能や性能を有する機器制御盤２であるかを理解することが難しい場合もある。
特に、機器制御盤２の種類が多岐にわたる場合に、機器制御盤２の正式名称とそれに対応する符号指標４を全て作業員が暗記することは、業務効率を向上させ難い。このため、図２に示すように平面配置図６に、機器制御盤２の配置図と併せて、符号指標４とそれが指し示す機器制御盤２の名称５（正式名称）を対応させて表記したものを併せて記載してもよい。
この場合、平面配置図６に名称５のみを用いて機器制御盤２の相対的な位置関係を示した場合に比べて、平面配置図６シンプルにすることができるとともに、符号指標４が指し示す機器制御盤２の名称５（正式名称）を併せて記載しておくことで、符号指標４が指し示す機器制御盤２の機能や性能の理解を容易にすることができる。
【００２６】
さらに、実施例１に係る平面配置図６において、Ｘコード１１及びＹコード１２を、連続する数字又は文字又は記号からなるコード１３やコード１４としてもよい。
この場合、平面配置図６上に記載される機器制御盤２の位置を、Ｘコード１１・Ｙコード１２位置により表記した場合に、その表記を見るだけで作業員は平面配置図６上における機器制御盤２のおおよその位置を把握することが可能になる。また、建物エリア７において実際に目的とする機器制御盤２を探す際にも、作業員は頭の中で平面配置図６と、実際の建物エリア７の平面構造の関係を容易に理解できるので便利である。
【００２７】
続いて、図３を参照しながら実施例１に係る機器制御盤検索システムのロケーション一覧表について詳細に説明する。
図３は本発明の実施例１に係る機器制御盤検索システムのロケーション一覧表の一例を示す図である。なお、図１又は図２に記載されたものと同一部分については同一符号を付し、その構成についての説明は省略する。
図３に示すように、実施例１に係る機器制御盤検索システム１ａにおけるロケーション一覧表１５は、例えば、火力発電所等の発電施設に設置される機器制御盤のうち、互いに関わりのある一連の機器制御盤２のそれぞれについて、符号指標４と、その名称５（正式名称）と、その機器制御盤２が設置される建物エリア７の平面配置図６が複数ある場合には平面配置図６を特定させるための識別符号１６、並びに、その平面配置図６上における機器制御盤２の設置場所を示す座標１７，例えば、図２に示すＸコード１１・Ｙコード１２位置を一覧表としてまとめたものである。
【００２８】
このような実施例１に係る機器制御盤検索システム１ａのロケーション一覧表１５を用いることで、例えば、火力発電所等の発電施設において作業員は、その運転や作動に関わる一連の機器制御盤２の全体像を、個々の機器制御盤２の機能及び作用、並びに、建物エリア７における設置場所と併せて把握することができるという効果を有する。
この結果、万一、建物エリア７内に配置される機器制御盤２にトラブル等が発生した場合や、あるいは、メンテナンスを施す必要がある場合に、作業員は、図３に示すロケーション一覧表１５及び上述の図２に示す平面配置図６を用いて目的とする機器制御盤２を迅速に見つけ出すことができる。
また、例えば、火力発電所等の発電施設において作業員の配置転換等が行われた際に、その設備に関する技術情報の引継ぎを容易にすることができるという効果も有する。
なお、火力発電所等の発電施設の運転や作動に関わる一連の機器制御盤２の配置が一枚の平面配置図６内に収まる場合には、図３に示すロケーション一覧表１５における識別符号１６の項目は設ける必要はない。
【００２９】
さらに、図４を参照しながら実施例１に係る機器制御盤検索システムのシーケンス図について詳細に説明する。
図４は本発明の実施例１に係る機器制御盤検索システムのシーケンス図の一例を示す図である。なお、図１乃至図３に記載されたものと同一部分については同一符号を付し、その構成についての説明は省略する。
実施例１に係る機器制御盤検索システム１ａにおいては、図４に示すようなシーケンス図１８を備えてもよい。
従来、シーケンスには様々な機器制御盤２の存在が記号等により表示されるものの、その機器制御盤２がどのような性能や機能を有しているか、すなわち、その機器制御盤２の名称５（正式名称）が記載されることは殆どなかった。
このため、従来、シーケンスにおいて不具合箇所を発見した場合に、そのシーケンスから不具合を起こした特定の機器制御盤２が、建物エリア７内に実際に配置される機器制御盤２の中の具体的にどれにあたるかを特定するには十分な経験と知識が必要であった。
このような事情に鑑み、実施例１に係るシーケンス図１８は、図４に示すようなシーケンス１９において個々の機器制御盤２を示す記号や表示の近傍に、建物エリア７内に実際に配置される機器制御盤２のケーシング３に付される符号指標４と同じ符号指標４をキーとして付したものである。
実施例１に係る機器制御盤検索システム１ａにおいては、図４に示すようなシーケンス図１８を備えることで、例えば、火力発電所等の設備において機器制御盤２にトラブルが発生した場合で、かつ、シーケンス図１８においてトラブル箇所が突き止められた場合に、シーケンス図１８にキーとして付される符号指標４を手がかりにして、図３に示すロケーション一覧表１５及び図２に示す平面配置図６を用いて、実際の建物エリア７内に配置される複数の機器制御盤２の中から目的とする機器制御盤２を迅速に見つけ出すことができる。
この結果、例えば、火力発電所等の発電施設において、トラブル等を起こした機器制御盤２の特定と発見が遅れることによる被害の拡大を確実に防止することができるという効果を有する。
【００３０】
なお、図４には、シーケンス１９における個々の機器制御盤２を示す記号や表示の近傍にキーとなる符号指標４のみを付した場合を例に挙げて説明しているが、符号指標４に加えて、その機器制御盤２の配置が図示される平面配置図６を特定するための識別符号１６や、その機器制御盤２に関する情報が記載されたロケーション一覧表１５を特定するための識別符号を付しておいてもよい。
この場合、図４に示すようなシーケンス図１８において機器制御盤２のトラブル箇所を発見した際に、平面配置図６やロケーション一覧表１５を用いて建物エリア７内において目的とする機器制御盤２を一層迅速に見つけ出すことができる。
また、例えば、火力発電所等の発電施設において同じ機能を有する機器制御盤２が複数台存在する場合には、シーケンス図１８にキーとなる符号指標４と併せてその機器制御盤２を他の同じ性能や機能を有する機器制御盤２と識別するための符号や番号を併せて記載しておいてもよい。この場合、目的とする機器制御盤２の発見を一層迅速かつ確実にすることができるという効果を有する。
【００３１】
また、シーケンス図１８にキーとして符号指標４に加えて、その機器制御盤２の配置が図示される平面配置図６の識別符号１６，及び，その平面配置図６内における座標１７，例えば、Ｘコード１１・Ｙコード１２位置を併せて記載しておくことで、ロケーション一覧表１５の作成を省略することも可能である。また、この場合、１枚の平面配置図６に一連の機器制御盤２の配置の全てを記載することができれば、必ずしもシーケンス図１８に識別符号１６を付す必要はない。
この場合、シーケンス図１８と平面配置図６のみを用いてトラブル等を起こした機器制御盤２を迅速かつ確実に見つけることができるという効果を有する。
【実施例２】
【００３２】
以下、本発明の実施例２に係る機器制御盤検索システム１ｂについて図５乃至図８を参照しながら説明する。
図５は本発明の実施例２に係る機器制御盤検索システムの構成図であり、図６は本発明の実施例２に係る機器制御盤検索システムにおいて実行される検索の工程を示すフローチャートである。なお、図１乃至図４に記載されたものと同一部分については同一符号を付し、その構成についての説明は省略する。
図５において、機器制御盤検索システム１ｂは、大きくいうと、入力部２１、検索部２３、出力部２４及び記憶部としてのデータベース２２から構成されている。
入力部２１は、データベース２２に格納される符号指標一覧表データ２０ａ，シーケンス図データ１８ａ，ロケーション一覧表データ１５ａ及び平面配置図データ６ａを予め入力して読み出し可能にデータベース２２に格納しておくために用いられる。ここで、符号指標一覧表データ２０ａとは、各種の機器制御盤２に対する符号指標４とその名称５を対応させた一覧表（図示せず）をあらわすデータである。シーケンス図データ１８ａとは、図４に示されるシーケンス図１８をあらわすデータであり、ロケーション一覧表データ１５ａとは、図３に示されるロケーション一覧表１５をあらわすデータであり、平面配置図データ６ａとは、図２に示される平面配置図６をあらわすデータである。
この入力部２１から入力されるそれぞれのデータは、図５に矢印で示されるように直接データベース２２への入力が可能としてもよい。入力部２１として、具体的にはキーボード、マウス、ペンタブレット、光学式の読取装置、あるいは、コンピュータ等の解析装置や計測機器から通信回線を介してデータを受信する受信装置など複数種類の装置からなり目的に応じた使い分け可能な装置が考えられる。
また、出力部２４としては、具体的にはＣＲＴ、液晶、プラズマあるいは有機ＥＬなどによるディスプレイ装置、あるいは、プリンタ装置などの表示装置、さらには、外部装置への伝送を行うためのトランスミッタなどの発信装置などが考えられる。
検索部２３は、入力部２１において入力される符号指標４を用い、データベース２２内に予め格納される符号指標一覧表データ２０ａ，シーケンス図データ１８ａ，ロケーション一覧表データ１５ａ，平面配置図データ６ａの中から、入力部２１において入力された符号指標４と同一の符号指標４が付された各種データを、この符号指標４をキーとして検索し抽出するために設けられるものである。
さらに、データベース２２は、既に述べたとおり、例えば、火力発電所等の発電施設に配置される多数の機器制御盤２に関するデータを格納するためのものであり、具体的には、符号指標一覧表データ２０ａ、シーケンス図データ１８ａ、ロケーション一覧表データ１５ａ及び平面配置図データ６ａが格納されている。また、上記それぞれのデータにおいて、各種機器制御盤２が示される部分には、その名称５が簡略化された符号指標４が併せて格納されている。
【００３３】
なお、図５ではデータベース２２内にシーケンス図データ１８ａを格納している場合を例に挙げて説明しているが、シーケンス図データ１８ａは必ずしも格納されていなくともよい。また、シーケンス図データ１８ａの他にも、符号指標４をキーとして検索して抽出するデータとして、常に上記のロケーション一覧表データ１５ａと平面配置図データ６ａを常に対象とする必要はなく、いずれか一方を抽出するようにしてもよい。その際には、もちろん、抽出されるデータのみをデータベース２２内に格納しておけばよい。
また、データベース２２に符号指標一覧表データ２０ａを格納しておくことで、入力部２１に符号指標４ではなく、機器制御盤２の名称５を入力してその名称５に対応する符号指標４をキーとして検索され、目的とするデータを検索することもできる。但し、ロケーション一覧表データ１５ａにも図３に示されるように符号指標４と名称５が対応付けられて格納されているため、このロケーション一覧表データ１５ａを介して目的とするデータを検索するようにしてもよい。さらに、他のデータ、例えばシーケンス図データ１８ａや平面配置図データ６ａにおいても前述のとおり符号指標４と名称５を併せて格納することで、名称５を入力しても符号指標４を入力しても検索自体は可能となるが、データ入力時の煩雑さやメモリ容量の効率化を考慮したり、あるいは現場盤にも明示されていることからすれば、機器制御盤２の名称５ではなく、符号指標４を用いてデータを作成し、それをキーとして検索を実行することが望ましい。
【００３４】
ここで、一旦、機器制御盤検索システム１ｂに関する説明を止めて、図６を参照しながら実施例２に係る機器制御盤検索プログラムについて説明する。これまで図５を参照しながら説明した機器制御盤検索システム１ｂはシステム発明であるが、図５に示されるシステムを汎用のコンピュータと捉え、これを動作させるプログラムとして、図６に示すフローチャートの工程を実行させることを考えるものである。
図６において、点線で囲んだ部分はそれぞれ図５の機器制御盤検索システム１ｂの構成要素を示すものであり、図５に示す構成要素と同一の構成要素については同一の符号を付している。
最初の工程は、ステップＳ０として示される入力工程である。前述のとおり、データベース２２には、符号指標一覧表データ２０ａ，シーケンス図データ１８ａ，ロケーション一覧表データ１５ａ，平面配置図データ６ａが格納されるが（シーケンス図データ１８ａは必ずしも格納されなくともよい）、この工程を示すものである。ステップＳ０としているのは、特にこの工程を含まないものであってもよいことを意味するものである。ステップＳ０の入力工程は必要であるものの、機器制御盤検索プログラムという発明の本質としては、ステップＳ０の入力工程を含まないものとしてステップＳ１から開始することも可能であるという意味である。
【００３５】
ステップＳ１は検索工程である。この工程で実行されるのは、入力部２１において入力される機器制御盤２の符号指標４，又は，機器制御盤２の名称５に基づいて、データベース２２内に格納される各種データの中から入力された符号指標４，又は，入力された名称５に対応する符号指標４と同じ符号指標４が付されたデータが、符号指標４をキーとして検索される。
【００３６】
次に、ステップＳ２では、先のステップＳ１の実行によって得られた、目的とする符号指標４がキーとして付された符号指標一覧表データ２０ａ、ロケーション一覧表データ１５ａ、平面配置図データ６ａ、シーケンス図データ１８ａがデータベース２２に格納される場合にはシーケンス図データ１８ａについても表示又は出力する。ここで表示あるいは出力されるデータの単位あるいは範囲としては、出力部２４としての表示装置の面積などを考慮して予め定めておくことが望ましい。たとえば、図２乃至図４に示される図面を１単位あるいは範囲としてもよいし、図２乃至図４に示される図面の一部をその表示の１単位あるいは範囲としてもよい。
【００３７】
最後に、図７及び図８を参照しながら具体的な検索作業の手順について説明する。
ここでは、実施例２に係る機器制御盤検索システム１ｂに関する説明の続きを行うと同時に、汎用のコンピュータを、機器制御盤検索プログラムを用いて動作させる場合とも考えられるような例を挙げて説明する。
従って、特に入力部２１としてマウス及びキーボードを用い、出力部２４として、例えば、液晶や有機ＥＬ等からなるディスプレイ装置の場合を例に挙げて説明する。
図７は本発明の実施例２に係る機器制御盤検索システムにおける検索画面の表示例を示す図であり、図８は本発明の実施例２に係る機器制御盤検索システムにおける検索結果画面の表示例を示す図である。なお、図１乃至図６に記載されたものと同一部分については同一符号を付し、その構成についての説明は省略する。
実施例２に係る機器制御盤検索システム１ｂを用いて、例えば、符号指標４の「ＥＡＲＹ」がキーとして付されるロケーション一覧表データ１５ａ又は平面配置図データ６ａ又はシーケンス図データ１８ａ（データベース２２にシーケンス図データ１８ａが格納される場合のみ抽出可能）を検索するには、ディスプレイ装置に表示される、図７に示すような検索表示画面２５における検索マド２６に図示しないキーボードを用いて「ＥＡＲＹ」と入力した後、図示しないマウスのポインターを検索ボタン２７上に移動してクリックする等して検索を実行すればよい。
なお、検索作業時に作業員が目的とする符号指標４を検索マド２６にスムースに入力することができるよう、図７に示す検索表示画面２５に検索マド２６や検索ボタン２７に加えて、予め、符号指標４と，その符号指標４により示される機器制御盤２の名称５からなる選択候補２９を表示しておいてもよい。
この場合、作業員の頭の中に目的とする符号指標４がすぐに浮かばなくても、作業が滞る心配がなく便利である。
【００３８】
そして、実施例２に係る機器制御盤検索システム１ｂにおいて、検索が実行されると、すなわち、図６に示すステップＳ１では、データベース２２内に格納される各種データのうち、キーとして「ＥＡＲＹ」が付されたデータの全てが選択可能なリストとして図８に示すような検索結果表示画面３０に表示される（図６におけるステップＳ２）。
この検索結果表示画面３０には、例えば、作業員が自ら入力した符号指標４を確認することができるように入力済キーワード表示部３１が設けられ、さらに、その下に検索結果としてキーとして「ＥＡＲＹ」が付された各種データが検索結果リスト３２として表示される。
図８の検索結果表示画面３０に表示される検索結果リスト３２には、データベース２２から読み出し可能な（そのデータに、直接リンク可能な）ロケーション一覧表データ１５ａ及びシーケンス図データ１８ａ及び平面配置図データ６ａが個別に表示され、作業員がこの検索結果リスト３２の中から所望のデータを、例えば、図示しないマウスでポインター２８を操作して選択し決定することで、直ちに、先の図２乃至図５に示すような平面配置図データ６ａやロケーション一覧表データ１５ａ，並びに，シーケンス図データ１８ａをディスプレイ装置に呼び出すことができるよう構成してもよい。もちろん、マウス以外の例えばアキュポイントやタッチスクリーンシステムなどを用いて所望のデータを選択・決定するようにしてもよい。
【００３９】
また、ディスプレイ装置に呼び出された平面配置図データ６ａやロケーション一覧表データ１５ａ，並びに，シーケンス図データ１８ａのそれぞれにおいて、作業員が検索マド２６にキーとして入力された符号指標４と同じ符号指標４が表示される部分を，他の情報が表示される部分と異なる色や表示方法（例えば、符号指標４部分を点滅させたり、他の符号指標４よりも大きく表示する等の方法）により表示できるよう構成してもよい。この場合、ディスプレイ装置の表示画面に表示される符号指標４の視認性を高めることができる。これにより、作業員がディスプレイ装置の表示画面に映し出される各種データの中から目的とする符号指標４を見つけ出すのを容易にすることができる。
また、特にディスプレイ装置の表示画面に表示されたロケーション一覧表データ１５ａやシーケンス図データ１８ａに記載される符号指標４をポインター２８で選択して決定した際に、その符号指標４で示される機器制御盤２の配置が記載された平面配置図データ６ａをディスプレイ装置の表示画面上に読み出し可能に（平面配置図データ６ａにジャンプ可能に）構成してもよい。この場合、ロケーション一覧表データ１５ａやシーケンス図データ１８ａの内容を閲覧した後に、一旦検索結果表示画面３０に戻って、そこから目的とする機器制御盤２の平面配置図データ６ａを探しだす手間を省くことができる。
【００４０】
このような実施例２に係る機器制御盤検索システム１ｂによれば、データベース２２に格納された、符号指標一覧表データ２０ａ、ロケーション一覧表データ１５ａ、平面配置図データ６ａ、シーケンス図データ１８ａ（データベース２２内にシーケンス図データ１８ａが格納される場合にのみ抽出可能）の中から目的とする機器制御盤２について記載されたデータを、符号指標４をキーにして検索することができるという効果を有する。
この結果、火力発電所等の発電施設に設置される機器制御盤２にトラブルが生じたり、メンテナンスが必要になった場合に、作業員は実施例２に係る機器制御盤検索システム１ｂを用いて目的とする機器制御盤２の位置を迅速に見つけ出すことができるという効果を有する。
この結果、目的とする機器制御盤２の発見が遅れることによる被害の拡大を防ぐことができるという効果を有する。
また、火力発電所等の発電施設において作業員の配置転換が行われた際に、多種類の機器制御盤２に関する技術情報の引継ぎ作業を容易にして業務効率を改善するという効果も期待できる。
【産業上の利用可能性】
【００４１】
以上説明したように本発明は、建物エリア内に配置される複数の機器制御盤の中から目的とする機器制御盤を迅速に見つけ出すことを可能にするための機器制御盤配置検索システムであり、火力発電所等の発電施設に関する分野において利用可能である。
【符号の説明】
【００４２】
１ａ，１ｂ…機器制御盤検索システム  ２…機器制御盤  ３…ケーシング  ４…符号指標  ５…名称  ６…平面配置図  ６ａ…平面配置図データ  ７…建物エリア  ８…出入口（設備）  ９…備品  １０…座標  １１…Ｘコード  １２…Ｙコード  １３…コード  １４…コード  １５…ロケーション一覧表  １５ａ…ロケーション一覧表データ１６…識別符号  １７…座標  １８…シーケンス図  １８ａ…シーケンス図データ  １９…シーケンス  ２０ａ…符号指標一覧表データ  ２１…入力部  ２２…データベース  ２３…検索部  ２４…出力部  ２５…検索表示画面  ２６…検索マド  ２７…検索ボタン  ２８…ポインター  ２９…選択候補  ３０…検索結果表示画面  ３１…入力済キーワード表示部  ３２…検索結果リスト
【図１】
2011091982.tif 000003
【図２】
2011091982.tif 000004
【図３】
2011091982.tif 000005
【図４】
2011091982.tif 000006
【図５】
2011091982.tif 000007
【図６】
2011091982.tif 000008
【図７】
2011091982.tif 000009
【図８】
2011091982.tif 000010